(57)【要約】【課題】外部から表示体を操作されることがなく、構造が簡単で組み立て易く、軽量化及び小型化することができる開閉器を提供する。【解決手段】ケース２の内部に設けられ固定接点６を有する固定接触子５と、固定接点６と接離自在に対向する可動接点７を有する可動接触子８と、可動接触子８と連結しケース２の外部から固定接点６と可動接点７とを開閉操作する操作ハンドル１０と、を備えた開閉器１において、ケース２の操作ハンドル１０を有する面に窓孔１３を設け、窓孔１３の奥部に表示体１４を回動自在に軸支し、表示体１４と可動接触子８とを連結ピン１６で連結し、可動接触子８の移動に合わせ表示体１４が回動して窓孔１３から固定接点６と可動接点７との接離状態を表示する。【選択図】図１
2005044638.tif 000002
【特許請求の範囲】
【請求項１】
ケースの内部に設けられ固定接点を有する固定接触子と、該固定接点と接離自在に対向する可動接点を有する可動接触子と、該可動接触子と連結し前記ケースの外部から前記固定接点と前記可動接点とを開閉操作する操作ハンドルと、を備えた開閉器において、前記ケースの操作ハンドルを有する面に窓孔を設け、該窓孔の奥部に表示体を回動自在に軸支し、該表示体と前記可動接触子とを連結ピンで連結し、前記可動接触子の移動に合わせ前記表示体が回動して前記窓孔から前記固定接点と前記可動接点との接離状態を表示することを特徴とする開閉器。
【発明の詳細な説明】
【技術分野】
【０００１】
本発明は、開閉器の固定接点と可動接点の開閉状態を表示するための構造に関する。
【背景技術】
【０００２】
開閉器は主回路に過大電流が流れると固定接点と可動接点が溶着する場合がある。このとき、過大電流によって開閉機構部が作動して操作ハンドルがオフを表示しても接点は溶着してオンしているため、そのまま使用すると危険である。そこで接点の開閉状態を使用者に知らせるために、例えば、可動接触子を駆動するためのクロスバーに表示棒を立設してケースから表示棒の先端が出没自在にしたり（例えば、特許文献１参照。）、溶着時に操作ハンドルがオン位置に停止したり（例えば、特許文献２参照。）、溶着時に操作ハンドルがオン位置とオフ位置の中間位置に停止するようになっていた（例えば、特許文献３参照。）。
【特許文献１】特開平１０−２３３１５３号公報
【特許文献２】特開平１０−２７５５５３号公報
【特許文献３】特開２００２−８３５３１号公報
【発明の開示】
【発明が解決しようとする課題】
【０００３】
しかしながら、ケースから表示棒が出没する開閉器は接点がオフして表示棒がケースから突出した状態において表示棒の先端を押し込むとクロスバーが可動接触子を押し下げ、可動接点が固定接点に接触して接点がオンしてしまう問題があり、また、溶着時に操作ハンドルがオン位置又はオンとオフの中間位置に停止する開閉器は内部の構造が複雑になり、重量が増加したり、サイズが大きくなるという問題があった。
【課題を解決するための手段】
【０００４】
本発明は、ケースの内部に設けられ固定接点を有する固定接触子と、固定接点と接離自在に対向する可動接点を有する可動接触子と、可動接触子と連結しケースの外部から固定接点と可動接点とを開閉操作する操作ハンドルと、を備えた開閉器において、ケースの操作ハンドルを有する面に窓孔を設け、窓孔の奥部に表示体を回動自在に軸支し、表示体と可動接触子とを連結ピンで連結し、可動接触子の移動に合わせ表示体が回動して窓孔から固定接点と可動接点との接離状態を表示することを特徴とする。
【発明の効果】
【０００５】
本発明の開閉器は、外部から表示体を操作されることがなく、構造が簡単で組み立て易く、軽量化及び小型化することができるという効果がある。
【発明を実施するための最良の形態】
【０００６】
ケースの内部に設けられ固定接点を有する固定接触子と、固定接点と接離自在に対向する可動接点を有する可動接触子と、可動接触子と連結しケースの外部から固定接点と可動接点とを開閉操作する操作ハンドルと、を備えた開閉器において、ケースの操作ハンドルを有する面に窓孔を設け、窓孔の奥部に表示体を回動自在に軸支し、表示体と可動接触子とを連結ピンで連結し、可動接触子の移動に合わせ表示体が回動して窓孔から固定接点と可動接点との接離状態を表示する。
【実施例１】
【０００７】
本発明に係る開閉器の実施例を図１〜図３の添付図面に基づいて説明する。
【０００８】
開閉器１は、絶縁材料で形成されたケース２の左右端部に接続端子３，４が設けられ、一方の接続端子３に固定接触子５が接続され、固定接触子５の端部には固定接点６が設けられ、この固定接点６と接離する可動接点７を端部に有する可動接触子８が固定接触子５と対向して配設され、可動接触子８は可撓銅より線９を介して他方の接続端子４に接続されて主回路を構成している。ケース２の上部には操作ハンドル１０が回動自在に軸支され、操作部１０ａがケース２の上面から突出している。また操作ハンドル１０の軸１０ｂを挟んで操作部１０ａと反対側の延設部１０ｃには可動接触子８の基部が回動自在に軸支されている。可動接触子８にはバネ１１の一端が係止され、バネ１１の他端はケース２に係止されて可動接点７がオン又はオフする位置に保持するようになっている。固定接点６と可動接点７の下側に設けられた数枚の板はアークを消弧するための消弧装置１２である。
【０００９】
ケース２の上面には窓孔１３が設けられ、窓孔１３の奥部に表示体１４が回動自在に軸支されている。表示体１４は断面略扇状の表示部１４ａと、先端が操作ハンドル１０の延設部側１０ｃへ延びる略Ｌ字状の脚部１４ｂとが形成されている。脚部１４ｂは、付勢バネ１５によって常時、左方向へ付勢されている。可動接触子８と表示体１４とは連結ピン１６によって連動するように設けられ、連結ピン１６の一端は可動接触子８に軸支され、他端は奥行き方向に折り曲げられて表示体１４の表示部１４ａの右側面に係止している。尚、窓孔１３は透明板１７が嵌められて内部に埃が入らないようになっている。
【００１０】
次に、動作について説明する。開閉器１は操作ハンドル１０を左側に倒すと可動接触子８が左方向に回動して固定接点６と可動接点７が接触してオンする。このとき、連結ピン１６も左方向に移動するため、付勢バネ１５の力に抗して表示部１４ａが左方向に回動し、表示部１４ａは窓孔１３から「ＯＮ」の表示を行う。また、操作ハンドル１０を右側に倒すと可動接触子８が右方向に回動して固定接点６から可動接点７が開離してオフする。このとき、連結ピン１６も右方向に移動するため、付勢バネ１５の力によって表示部１４ａが右方向に回動し、表示部１４ａは窓孔１３から「ＯＦＦ」の表示を行う。
【００１１】
そして、固定接点６と可動接点７がオンしている状態で主回路に過大電流が流れて固定接点６と可動接点７が融着した場合、操作ハンドル１０を手動でオフにしても可動接触子８は左側に位置するため、連結ピン１６によって表示体１４の表示部１４ａは左方向に回動し、表示部１４ａは窓孔１３から「ＯＮ」の表示をして融着していることを知らせる。
【００１２】
尚、本実施例において表示体の表示は「ＯＮ」「ＯＦＦ」の文字で行っているが、オンとオフとで色を分けて表示する等、表示方法について限定はない。
【図面の簡単な説明】
【００１３】
【図１】本発明に係る開閉器の縦断面図であり、操作ハンドルがオンで接点がオンした状態を示す。
【図２】本発明に係る開閉器の縦断面図であり、操作ハンドルがオフで接点がオフした状態を示す。
【図３】本発明に係る開閉器の縦断面図であり、固定接点と可動接点が融着し、操作ハンドルがオフで接点がオンした状態を示す。
【符号の説明】
【００１４】
１    開閉器
２    ケース
５    固定接触子
６    固定接点
７    可動接点
８    可動接触子
１０  操作ハンドル
１３  窓孔
１４  表示体
１５  付勢バネ
１６  連結ピン
【図１】
2005044638.tif 000003
【図２】
2005044638.tif 000004
【図３】
2005044638.tif 000005